(57)【要約】【課題】  レフィール交換時のスペアレフィールに内径のバラツキがあっても、該バラツキを吸収してレフィールと操作部材を確実に結合することができ、交換後のレフィールを軸筒の先端孔に向かってスムーズに案内させることができ、軸筒内でレフィールが停滞するようなことがない筆記具を得ることにある。【解決手段】  軸筒１と、該軸筒１内に前後進可能に挿入収納されて後退方向に付勢された少なくとも１本のレフィール２と、該レフィール２を後退付勢力に抗して前進移動させる操作部材４とを備え、操作部材４の前部には、レフィール２の径方向に弾性変形可能なバネ継手５が取付けられ、該バネ継手５を介して操作部材４の前部がレフィール３の後端側内部に嵌合された状態で前記バネ継手５がレフィール２の後部内面に径方向の弾発力で圧接係合しているものである。【選択図】図１
2011073388.tif 000002
【特許請求の範囲】
【請求項１】
軸筒と、該軸筒内に前後進移動可能に挿入収納されて後退方向に付勢された少なくとも１本のレフィールと、該レフィールを後退付勢力に抗して前進移動させる操作部材とを備えた筆記具において、
前記操作部材には、前記レフィールの径方向に弾性変形可能なバネ継手が取付けられ、該バネ継手を介して前記操作部材が前記レフィールの後端側内部に嵌合された状態で前記バネ継手が前記レフィールの後部内面に径方向の弾発力で圧接係合していることを特徴とする筆記具。
【請求項２】
前記操作部材には、前記レフィールの後端側内部に挿脱可能に圧入される頭部を有する嵌入軸部が形成され、該嵌入軸部に沿った部位で前記バネ継手が前記レフィールの径方向に弾性変形可能に且つ着脱可能に保持されていることを特徴とする請求項１に記載の筆記具。
【請求項３】
前記操作部材には、バネ継手を嵌め込む軸方向の溝部が対称位置に形成され、該溝部からの出没方向に前記バネ継手が弾性変形可能となるように該バネ継手が前記溝部に嵌め込まれていることを特徴とする請求項１または請求項２に記載の筆記具。
【請求項４】
前記バネ継手は、線状のバネ部材を前部でレフィールの内径よりも大きな間隔幅に折曲して形成されていることを特徴とする請求項１から請求項３のうちのいずれか１項に記載の筆記具。
【請求項５】
前記バネ継手は、前記操作部材に形成された軸方向の溝部にバネ継手に形成された脚片部が嵌め込まれると共に、バネ継手後部に折曲形成された係止片部が前記溝部の後端に設けられた係止孔に挿入係止されていることを特徴とする請求項１から請求項４のうちのいずれか１項に記載の筆記具。
【発明の詳細な説明】
【技術分野】
【０００１】
本発明は、少なくとも１本のレフィールを備え、ノックまたは回転等の操作により繰り出される筆記具に関し、特にレフィールと操作部材を特徴的な継手手段で連結した筆記具に関するものである。
【背景技術】
【０００２】
従来のレフィールと操作部材を継手手段で連結した複数の筆記体を収容する複合筆記具は、軸筒と、該軸筒の内部に前後進可能に挿入収納されて後方に付勢された複数本のレフィールと、該レフィールのそれぞれを後方付勢力に抗して個々に前進移動させるノック部材（操作部材）とを備え、前記ノック部材を軸筒の側面に沿って軸方向へスライドノックすることで、前記レフィールが軸筒の先端中心孔に向かって傾斜しながら前進移動することにより、前記レフィール先端の筆記部が軸筒の先端中心孔から突出する構造となっている。
【０００３】
このような構造の筆記具では、前記ノック部材のスライドノック時にレフィールが傾斜しながら前進移動するため、それらのノック部材とレフィールを確実に結合する必要がある。その結合手段として、従来は、前記ノック部材の前端部に、前記レフィールとの結合部となる軸状の嵌入部を該ノック部材と同様の樹脂材で一体成形し、その嵌入部をレフィールの後端開口部に直接嵌入している（例えば、特許文献１参照）。
【０００４】
【特許文献１】特開２００７−４５０３２号公報（〔００４２〕、〔００４３〕および〔図１〕）
【発明の開示】
【発明が解決しようとする課題】
【０００５】
従来の複合筆記具は以上のように構成され、ノック部材とレフィールの結合手段として、ノック部材の前端部に該ノック部材と同様の樹脂材で一体成形された軸状の嵌入部をレフィールの後端開口部に直接嵌入しているが、レフィール交換に適用する新たなレフィールには内径のバラツキがあるため、レフィール交換に際して新たに用いるレフィールの後端開口部にノック部材の嵌入部が適合しなくなり、該嵌入部をレフィールの後端開口部に無理やり嵌入することによる前記嵌入部の摩耗や、該嵌入部のレフィールに対する嵌入が緩み過ぎることでノック部材とレフィールの嵌合力が緩くなり、その結果、ノック部材とレフィールの結合強度（連結強度）が損なわれ易いという課題があった。
【０００６】
特に複合筆記具に適用するレフィールとして、最近は軸筒を細くしてスリム化する傾向がみられ、その結果、金属製パイプのものを各社筆記具メーカーも多用化傾向にあるが、金属製のレフィールに樹脂製のノック部材が上述のように嵌入連結されている場合、レフィール交換に際して、新たに用いる金属性レフィールの後端開口部に樹脂製ノック部材の嵌入部を無理やり嵌入すると、該嵌入部に著しい摩耗や折損等が生じ易いため、爾後のレフィール交換時に前記樹脂製ノック部材を適用できなくなるという課題があった。また、レフィールの後端開口部に対するノック部材の嵌入が緩み過ぎて抜けが生じた場合、その抜けを防止できないという課題があった。
【０００７】
このように従来のノック式の複合筆記具では、レフィールの内径のバラツキやノック部材の嵌入部の摩耗等により、ノック部材が適度な柔軟性を具備（確保）しながらレフィールを保持できないため、ノック部材のスライドノック時にレフィールを軸筒の先端孔まで案内できず、該軸筒内でレフィールが停滞してしまうという課題があった。
【０００８】
本発明は上記のような課題を解決するためになされたもので、レフィール交換時のスペアレフィールに内径のバラツキがあっても、該バラツキを吸収してレフィールと操作部材を確実に結合することができ、交換後のレフィールを軸筒の先端孔に向かってスムーズに案内させることができ、軸筒内でレフィールが停滞するようなことがない筆記具を提供することを目的とする。
【課題を解決するための手段】
【０００９】
本発明に係る筆記具は、軸筒と、該軸筒内に前後進移動可能に挿入収納されて後退方向に付勢された少なくとも１本のレフィールと、該レフィールのそれぞれを後退付勢力に抗して個々に前進移動させる操作部材とを備え、前記操作部材には、前記レフィールの径方向に弾性変形可能なバネ継手が取付けられ、該バネ継手を介して前記操作部材が前記レフィールの後端側内部に嵌合された状態で前記バネ継手が前記レフィールの後部内面に径方向の弾発力で圧接係合しているものである。
【００１０】
本発明に係る筆記具において、前記操作部材には、前記レフィールの後端側内部に挿脱可能に圧入される頭部を有する嵌入軸部が形成され、該嵌入軸部に沿った部位で前記バネ継手が前記レフィールの径方向に弾性変形可能に且つ着脱可能に保持されているものである。
【００１１】
本発明に係る筆記具において、前記操作部材には、バネ継手を嵌め込む軸方向の溝部が対称位置に形成され、該溝部からの出没方向に前記バネ継手が弾性変形可能となるように該バネ継手が前記溝部に嵌め込まれているものである。
【００１２】
本発明に係る筆記具の前記バネ継手は、線状のバネ部材を前部でレフィールの内径よりも大きな間隔幅に折曲して形成されているものである。
【００１３】
本発明に係る筆記具の前記バネ継手は、前記操作部材に形成された軸方向の溝部に前記脚片部が嵌め込まれると共に、バネ継手後部に折曲形成された係止片部が前記溝部の後端に設けられた係止孔に挿入係止されているものである。
【発明の効果】
【００１４】
本発明の筆記具によれば、操作部材に取付けられたバネ継手の取付部位をレフィールの後端側内部に圧入することにより、該レフィールの内面に前記バネ継手が弾発力で圧接係合するので、レフィール交換に際して、新たに用いるレフィールの内径にバラツキがあっても、そのバラツキを前記バネ継手で吸収することができ、これにより、レフィールと操作部材を十分な結合強度で確実に連結できるので、レフィール交換後に操作部材を操作することにより、レフィールを軸筒の先端孔に向かってスムーズに案内させることができ、軸筒内でレフィールが停滞するようなことがないという効果がある。
【００１５】
本発明の筆記具によれば、操作部材に対してバネ継手が着脱可能となっているので、その操作部材を金属製のレフィールと樹脂製のレフィールの何れにも併用できるという効果がある。すわなち、金属製のレフィールの場合は上述のようにバネ継手が装着された操作部材を適用し、樹脂製のレフィールの場合は前記バネ継手を取り外した操作部材を適用するという具合にレフィール自体の寸法や材質を変えることなく該レフィールを使い分けることができるという効果がある。ここで、樹脂製のレフィールに適用すべく操作部材からバネ継手を取り外した場合でも、その操作部材の嵌入軸部にはレフィールの後端側内部に圧入される大きさの頭部が設けられており、該頭部が圧入によりレフィールの内面に圧接係合することによって、レフィールと操作部材の結合強度を十分に確保することができる。なお、前記バネ継手が装着されたままの操作部材を樹脂製のレフィールに適用することも可能である。
【００１６】
本発明の筆記具によれば、操作部材に形成された軸方向の溝部にバネ継手が嵌め込まれ、この状態で該バネ継手が前記溝部から出没するように保持されるので、レフィールの後端側内部に対する操作部材前部の嵌入時に該操作部材が弊害になるようなこともなくレフィールの後端側内部に操作部材を容易に嵌入できるという効果がある。
【００１７】
本発明の筆記具によれば、線状のバネ部材を前部でレフィールの内径よりも大きな間隔幅に折曲するだけで頗るコンパクトなバネ継手を容易に形成でき、操作部材における前記バネ継手の取付部位もシンプルにコンパクト化でき、そのバネ継手を操作部材に取付けても軸筒を大径化する必要がないという効果がある。
【００１８】
本発明の筆記具によれば、操作部材に形成された軸方向の溝部にバネ継手の略並行な脚片部が嵌め込まれ、該脚片部の後端に形成されて相対方向に屈曲する係止片部が、前記操作部材の溝部後端に設けられた係止孔に挿入係止されているので、前記操作部材に取付けられたバネ継手が、レフィール内への圧入時に外れるようなこともなく、操作部材の所定位置にバネ継手を確実に保持して該バネ継手の機能を十分に発揮させることができるという効果がある。
【発明を実施するための最良の形態】
【００１９】
実施の形態１．
図１はこの発明の実施の形態１による筆記具を示す断面図、図２は図１の筆記具の後端面図、図３は図１の筆記具の外観図、図４は図１の要部拡大断面図、図５（Ａ）は図１および図４中の操作部材を示す平面図、図６（Ｂ）は図５（Ａ）のＡ−Ａ線に沿った断面図、図６（Ａ）は図５（Ａ）の側面図、図６（Ｂ）は図６（Ａ）の左端面図、図６（Ｃ）は図６（Ａ）の右端面図、図７は図６（Ａ）の底面図、図８は図５（Ａ）のＢ−Ｂに沿った断面図、図９（Ａ）はバネ継手の平面図、図９（Ｂ）は図９（Ａ）の右端面図、図１０は図９（Ａ）の側面図である。
【００２０】
図１に示す筆記具は、軸筒１と、該軸筒１内に前後進可能に挿入収納されて後退方向に付勢された複数本（図示例ではインク色が異なる３本）のボールペンのレフィール２および１本のシャープペンシルの芯パイプ３と、前記レフィール２のそれぞれを後退付勢力に抗して個々に前進移動させるノック部材（操作部材）４と、該ノック部材４の前部と前記レフィール２の後部との間に介在してそれらのノック部材４とレフィール２を結合するバネ継手５と、前記シャープペンシルの芯パイプ３を後退付勢力に抗して前進移動させるクリップユニット６とを備えた基本構造となっており、以下に詳細を説明する。
【００２１】
前記軸筒１内には内筒（中軸）７が嵌合され、該内筒７の先端部は前記軸筒１の前端から突出しており、その突出部位には筆記体繰出用の先端孔８ａを有する先細円筒状の先具８が取付けられている。また、軸筒１内における内筒７の後部にはガイドストッパ１０が配置されており、該ガイドストッパ１０の中心部には緩衝部材１１が設けられている。
【００２２】
さらに、軸筒１の後部周壁には、前記各操作部材４を軸方向にガイドするノックガイド孔１２と、前記クリップユニット６を同じく軸方向にガイドするノックガイド１３が設けられている。
【００２３】
軸筒１内に挿入収納されたレフィール２の後端にはバネ継手５を介してノック部材４が着脱可能に連結されており、その詳細な関連構造を以下に説明する。
まず、前記ノック部材４は、図４〜図６に示す形状に一体形成された樹脂製のレバー部材からなっており、該ノック部材４の前端には、レフィール２の後端側内部に挿脱可能に圧入するための頭部１５を有する嵌入軸部１４が設けられている。該嵌入軸部１４の頭部１５は、レフィール２の後端開口径と略同径の曲率半径の球面状に形成されている。
【００２４】
このようなノック部材４の前部には、嵌入軸部１４の頭部１５から嵌入軸部１４の両側壁面およびノック部材４の前部両側壁面に亘って軸方向に連続形成されたバネ継手嵌め込み用の溝部１６が設けられている。また、前記溝部１６の後端部には、該溝部１６に連続してノック部材４の壁部を直角方向に貫通する係止孔１７が設けられている。さらに、ノック部材４の前部には、両側外方に向かって突出するスプリング受け片１８が一体形成されている。
【００２５】
ノック部材４の後部側面には操作突部１９が一体形成され、該操作突部１９は、軸筒１のノックガイド孔１２に内側から嵌め込まれて外方に突出し、該ノックガイド孔１２に沿ってスライド自在となっている。また、ノック部材４における操作突部１９の反対面には、１本のレフィール２を筆記位置でロックし、他のレフィール２のノック部材４で前記ロックを解除するための前部突出片２０と後部突出片２１が設けられている。
【００２６】
すなわち、１本のレフィール２が筆記位置までノックされると、該レフィール２の操作部材４における後部突出片２１の後端が軸筒１内に退没している他のレフィール２の操作部材４における前部突出片２０の前端に係止して筆記位置のレフィール２がロックされ、軸筒１内に退没している他のレフィール２のノック部材４を僅かにノックすると、該ノック部材４の前部突出片２０の前端傾斜面で筆記位置のレフィール２のノック部材４における後部突出片２１の後端が押されて前記ロックが解除されるように構成されている。
【００２７】
以上のように構成されたノック部材４の溝部１６と係止孔１７に亘ってバネ継手５が取り付けられている。このバネ継手５は、図７〜図９に示すように、線状のバネ部材をクリップ形状に折曲成形してなるもので、ノック部材４前端の頭部１５の溝部１６に嵌め込まれる先端湾曲部２５と、この先端湾曲部２５の両端に連続して平面「く」字状の対称形状に折曲形成された幅広折曲部２６ａ，２６ｂと、該幅広折曲部２６ａ，２６ｂの後端に連続して後方へ略並行に延びる脚片部２７ａ，２７ｂと、該脚片部２７ａ，２７ｂの後端に連続して相対方向へすれ違い状に延びるように折曲形成された係止片部２８ａ，２８ｂとからなっている。
【００２８】
なお、前記幅広折曲部２６ａ，２６は、レフィール２の後端側内部への圧入時に該レフィール２の内面に圧接させるため、該レフィール２の内径よりも大きな間隔幅の部位を有しているものである。
【００２９】
このように形成されたバネ継手５の取付けに際しては、脚片部２７ａ，２７ｂの間隔幅を広げて先端湾曲部２５をノック部材４先端の頭部１５の溝部１６に嵌め込み、かつ、脚片部２７ａ，２７ｂの後端の係止片部２８ａ，２８ｂを操作部材４における前記溝部１６後端の係止孔１７に嵌め込む。これにより、該係止孔１７に前記係止片部２８ａ，２８ｂが弾性復元力で係止されると共に、前記脚片部２７ａ，２７ｂがノック部材４両側の軸方向の溝部１６に収められると共に、バネ継手５の幅広折曲部２６ａ，２６ｂが前記溝部１６の外方に膨出した状態に保持されている。
【００３０】
このようにしてバネ継手５が取付けられたノック部材４の前部をレフィール２の後端側内部に圧入すると、バネ継手５の幅広折曲部２６ａ，２６ｂが前記レフィール２の内面に摺接して相対方向に押し縮められることにより、圧入終端位置ではバネ継手５の弾発力により前記幅広折曲部２６ａ，２６ｂが前記レフィール２の内面に圧接係合した状態となってレフィール２と操作部材４が連結される。
【００３１】
このようにバネ継手５でノック部材４が連結されたレフィール２が軸筒１内に挿入収納され、そのレフィール２は、軸筒１内のスライドガイド１０とノック部材４のスプリング受け片１８との間に介在させたリターンスプリング２３によって後退方向に付勢されている。
【００３２】
一方、前記シャープペンシルの芯パイプ３の前部には、クリップユニット６のスライドノックによる芯パイプ３の前進移動時に芯をチャッキングして筆記位置に繰り出す芯送出機構２２が設けられている。前記クリップユニット６は、軸筒１内で芯パイプ３の後方に配置されたクリップベース３０と、該クリップベース３０の後部に形成され、ノックガイド孔１３を介して外方に突出するクリップ取付部３１と、該クリップ取付部３１に継手３３を介して揺動可能に支持されたクリップ３２と、該クリップ３２を前端側が軸筒１に当接する方向に付勢されたクリップスプリング３４とを備え、クリップユニット６が後退方向にリターンスプリング２４で付勢された構造となっている。
【００３３】
なお、軸筒１の後端には消しゴム受け台３５を介して消しゴム３６が設けられると共に、消しゴム受け台３５には消しゴム３６を覆う着脱可能な消しゴムカバー３７が取付けられている。
【００３４】
以上のように構成された複合筆記具によれば、ノック部材４の前部に取付けられたバネ継手５の取付部位をレフィール２の後端側内部に圧入すると、該レフィール２の内面に前記バネ継手５の幅広折曲部２６ａ，２６ｂが弾発力で圧接係合することにより、レフィール２の交換に際して、新たに用いるレフィールの内径にバラツキがあっても、そのバラツキを前記バネ継手５によって吸収することができ、これにより、新たなレフィール２とノック部材４を十分な結合強度で確実に連結できるという効果がある。
【００３５】
また、レフィール２の交換後にノック部材４をスライドノック操作することにより、レフィール２を軸筒１の先端孔８ａに向かってスムーズに案内することができ、軸筒１内でレフィール２が停滞するようなことがないという効果がある。さらには、上述のようなレフィール２の内径のバラツキにより該レフィール２とノック部材４との連結部に嵌合の緩みが生じる場合であっても、その緩みを前記バネ継手５で吸収・解消できることにより、同様の効果が得られる。
【００３６】
ここで、樹脂製のレフィール２に適用すべくノック部材４からバネ継手５を取り外した場合でも、そのノック部材４の嵌入軸部１４にはレフィール２の後端側内部に圧入される大きさの頭部１５が設けられ、該頭部１５がレフィール２の後端側内部に圧入されて該レフィール２の内面に圧接係合することにより、樹脂製レフィール２の弾性によって該レフィール２とノック部材４の結合強度を十分に確保することができるという効果がある。
【００３７】
また、本発明の複合筆記具によれば、ノック部材４の前部に形成された軸方向の溝部１６にバネ継手５の脚片部２７ａ，２７ｂが嵌め込まれ、この状態で該バネ継手５の幅広折曲部２６ａ，２６ｂが前記溝部１６から出没するように保持されるので、レフィール２の後端側内部に対するノック部材４前部の嵌入時に該ノック部材４が弊害になるようなこともなくレフィール２の後端側内部にノック部材４の前部を容易に嵌入できるという効果がある。
【００３８】
さらに、本発明の複合筆記具によれば、線状のバネ部材を前部でレフィール２の内径よりも大きな間隔幅に折曲するだけで頗るコンパクトなバネ継手５を容易に形成でき、操作部材４における前記バネ継手５の取付部位をシンプルにコンパクト化でき、そのバネ継手５を操作部材４に取付けても軸筒１を大径化する必要がないという効果がある。
【００３９】
さらには、本発明の複合筆記具によれば、ノック部材４に形成された軸方向の溝部１６にバネ継手５の略並行な脚片部２７ａ，２７ｂが嵌め込まれ、該脚片部２７ａ，２７ｂの後端に形成されて相対方向に屈曲する係止片部２８ａ，２８ｂが、前記操作部材４の溝部１６後端に設けられた係止孔１７に挿入係止されているので、前記操作部材４の前部に取付けられたバネ継手５が、レフィール２内への圧入時に外れるようなこともなく、操作部材４の所定位置にバネ継手５を確実に保持して該バネ継手５の機能を十分に発揮させることができるという効果がある。
【００４０】
また、前記ノック部材４における溝部１６の側壁には、係止片部２８ａ，２８ｂを容易に拡開させるための、なだらかな傾斜面１６ａ（図５（Ｂ）参照）が形成されていることにより、その傾斜面１６ａを利用して脚片部２７ａ，２７ｂのそれぞれの後端で直角方向に屈曲する係止片部２８ａ，２８ｂを開拡させ、溝部１６に侵入し易くすることにより、係止孔１７に容易に挿入係止させることができるという効果がある。
【００４１】
以上説明した実施の形態１では、レフィール２としてボールペンレフィールを示したが、本発明の特徴である操作部材４とレフィール２との結合手段に適用するレフィール２は、ボールペンレフィールに特定されるものではなく、その他の例えばシャープペンシルのレフィール（芯タンク）であってもよく、要するに、操作部材とレフィールを着脱可能に連結可能な構造の筆記具であれば、いかなる筆記具のレフィールであってもよい。
【００４２】
また、前述した実施の形態１では、スライド式複合筆記具について説明したが、本発明の筆記具は、前記スライド式複合筆記具のほかに単体筆記具や回転式筆記具のいずれであってもよく、本発明の特徴である操作部材４とレフィール２との結合手段を採用できる筆記具であれば、いかなる形態の筆記具であってもよく、いずれの場合も同様の効果を期待できる。
【図面の簡単な説明】
【００４３】
【図１】本発明の実施の形態１による筆記具を示す断面図である。
【図２】図１の筆記具の後端面図である。
【図３】図１の筆記具の外観図である。
【図４】図１の筆記具の後部を部分的に拡大した断面図である。
【図５】図５（Ａ）は図１および図４中の操作部材を示す平面図、図５（Ｂ）は図５（Ａ）のＡ−Ａ線に沿った断面図である。
【図６】図６（Ａ）は図５（Ａ）の側面図、図６（Ｂ）は図６（Ａ）の左端面図、図６（Ｃ）は図６（Ａ）の右端面図である。
【図７】図６（Ａ）の底面図である。
【図８】図５（Ａ）のＢ−Ｂに沿った断面図である。
【図９】図９（Ａ）はバネ継手の平面図、図９（Ｂ）は図９（Ａ）の右端面図である。
【図１０】図９（Ａ）の側面図である。
【符号の説明】
【００４４】
１  軸筒
２  レフィール
３  芯パイプ
４  ノック部材（操作部材）
５  バネ継手
６  クリップユニット
７  内筒
８  先具
８ａ  先端中心孔
１０  ガイドストッパ
１１  緩衝部材
１２，１３  ノックガイド孔
１４  嵌入軸部
１５  頭部
１６  溝部
１６ａ  傾斜面
１７  係止孔
１８  スプリング受け片
１９  操作突部
２０  前部突出片
２１  後部突出片
２２  芯送出機構
２３，２４  リターンスプリング
２５  先端湾曲部
２６ａ，２６ｂ  幅広折曲部
２７ａ，２７ｂ  脚片部
２８ａ，２８ｂ  係止片部
３０  クリップベース
３１  クリップ取付部
３２  クリップ
３３  継手
３４  クリップスプリング
３５  消しゴム受け台
３６  消しゴム
３７  消しゴムカバー
【図１】
2011073388.tif 000003
【図２】
2011073388.tif 000004
【図３】
2011073388.tif 000005
【図４】
2011073388.tif 000006
【図５】
2011073388.tif 000007
【図６】
2011073388.tif 000008
【図７】
2011073388.tif 000009
【図８】
2011073388.tif 000010
【図９】
2011073388.tif 000011
【図１０】
2011073388.tif 000012